(57)【要約】【課題】バリアフリー化に対応可能であり、画像形成装置本体との無線通信手段を搭載した操作表示部を取り外し可能にし、本来の操作表示部の位置よりも低い位置や操作しやすい角度で操作表示部を操作可能にする画像形成装置を提供し、操作表示部を取り外した状態でも、画像形成装置本体の機器の状態等を表示可能にする。【解決手段】画像形成装置本体１に着脱自在な操作表示装置１３であって、無線通信可能なＵＳＢドライバを搭載し、画像形成装置本体１上に設置されている場合には画像形成装置本体１の操作表示部であり、画像形成装置本体１から分離されるとそれを検知してＵＳＢドライバを介して画像形成装置本体１の操作入力を無線通信するとともに、画像形成装置本体１の画像形成に係る情報を画像形成装置本体１から入力して表示する。【選択図】図４
2011207205.tif 000002
【特許請求の範囲】
【請求項１】
画像形成装置本体に着脱自在に配設可能な画像形成装置用の操作表示装置であって、
前記画像形成装置本体に装着されている場合には前記画像形成装置本体の操作表示部であり、前記画像形成装置本体からの脱離が検出されると、当該操作表示装置に設けた第１の無線通信手段及び前記画像形成装置本体に設けた第２の無線通信手段により前記画像形成装置本体への操作入力を無線通信するとともに、前記画像形成装置本体の画像形成に係る情報を前記画像形成装置本体から前記第１の無線通信手段により受信して表示することを特徴とする画像形成装置用の操作表示装置。
【請求項２】
請求項１に記載の操作表示装置を前記画像形成装置本体に搭載した画像形成装置であって、
前記操作表示装置が前記画像形成装置本体に装着されている場合には、前記操作表示装置を、バス又は前記第１及び第２の無線通信手段を介して前記画像形成装置本体に対する画像形成に係る入力を行い、かつ前記画像形成装置本体の画像形成に係る情報の当該操作表示部装置に設けた第１の表示部への表示を行う操作表示手段とし、
前記操作表示装置が前記画像形成装置本体から脱離されたことが検出されると、前記操作表示装置を、第１及び第２の無線通信手段を介して前記画像形成装置本体に対する画像形成に係る入力を行い、かつ前記画像形成装置本体の画像形成に係る情報の前記第１の表示部への表示を行う操作表示手段とし、
前記画像形成装置本体に設けた第２の表示部を機能させ、前記画像形成装置の画像形成に係る情報の表示を前記第２の表示部に表示することを特徴とする画像形成装置。
【請求項３】
前記画像形成に係る情報には、前記画像形成装置の状態を示す状態情報と前記画像形成装置の機能メニューを示す機能情報とが含まれ、前記操作表示装置が前記画像形成装置本体に装着時には、前記第１の表示部に前記機能情報および前記状態情報を表示し、
前記操作表示装置の脱離時には、前記第１の表示部に前記機能情報および前記状態情報を表示するとともに、前記第２の表示部に前記状態情報を表示することを特徴とする請求項２に記載の画像形成装置。
【請求項４】
前記操作表示装置は、当該操作表示装置に電源を供給する蓄電手段と、該蓄電手段の充電を行なう充電手段と、備え、前記画像形成装置本体への装着時には、前記画像形成装置本体の電源から電源供給するとともに、前記画像形成装置本体からの離脱時には、前記蓄電手段からの給電により動作することを特徴とする請求項２又は３に記載の画像形成装置。
【請求項５】
前記画像形成装置本体は、定期的に前記操作表示装置の状態取得のための通信を行うことを特徴とする請求項２乃至４の何れか一項に記載の画像形成装置。
【請求項６】
前記状態取得のための通信が所定期間行われなかった場合、前記操作表示装置の電源をＯＦＦすることを特徴とする請求項５に記載の画像形成装置。
【請求項７】
前記操作表示装置が、前記画像形成装置本体から脱離した状態で、前記画像形成装置本体の電源がＯＦＦされた場合、前記第１の表示部に、前記画像形成装置本体の電源がＯＦＦされた旨を表示することを特徴とする請求項２乃至６の何れか一項に記載の画像形成装置。
【請求項８】
前記操作表示装置が、前記画像形成装置本体から脱離した状態で、前記画像形成装置本体の電源がＯＦＦされた場合でも、操作表示装置の電源はＯＦＦしないことを特徴とする請求項２乃至６の何れか一項に記載の画像形成装置。
【請求項９】
前記操作表示装置が、前記画像形成装置本体から脱離した状態で、前記画像形成装置本体の電源がＯＮされた場合、前記第２の表示部に、前記操作表示装置を前記画像形成装置本体に装着するべき旨を表示することを特徴とする請求項２乃至６の何れか一項に記載の画像形成装置。
【請求項１０】
前記操作表示装置が、前記画像形成装置本体に装着された状態で、前記画像形成装置本体の電源がＯＮされた場合、前記第２の表示部に、前記操作表示装置を前記画像形成装置本体に装着するべき旨を表示しないことを特徴とする請求項２乃至６の何れか一項に記載の画像形成装置。
【請求項１１】
前記操作表示装置が、前記画像形成装置本体から離脱した状態で、前記画像形成装置本体の電源がＯＮされた場合、前記操作表示装置を前記画像形成装置本体に装着するべき旨を前記第２の表示部に表示し、
前記操作表示装置が、前記画像形成装置本体に装着された場合は、前記第２の表示部への表示を中止することを特徴とする請求項２乃至６の何れか一項に記載の画像形成装置。
【発明の詳細な説明】
【技術分野】
【０００１】
本発明は、画像形成装置用の操作表示装置およびこれを有する画像形成装置に関する。
【背景技術】
【０００２】
従来、画像形成装置において操作部ユニットを画像形成装置本体に対して着脱自在に構成した画像形成装置が知られている（例えば特許文献１）。
またＰＨＳ電話機を複写機の操作部に使用できる発明も知られている。より詳細には、複写機の操作パネル上のキーによって入力されるコマンドとＰＨＳ電話機の既存のキーとをコードによって対応付けるコード表をあらかじめ複写機に格納しておき、ＰＨＳ電話機が複写機に接近すると、そのコード表をＰＨＳ電話機に送信して、ＰＨＳ電話機の既存のキーを複写機の操作パネル上のキーとして使用できるようにする発明も知られている（特許文献２）。
また、本願出願人の発明として、情報端末装置の表示部を使い、わかり易い情報を使用者に示し、印刷したい蓄積文書をより容易に選択できるようにするとともに、使用者の状況に応じたプリント指示を可能にする発明も知られている。
この情報端末装置としては、ＰＤＡの表示画面を使用できることが開示されている（特許文献３）。
また本願出願人の発明として、メインディスプレイ／操作部とサブディスプレイとを備え、画像形成装置の各種情報を相互に関連付けて、あるいはそれぞれ別個に表示・操作する画像形成装置の発明が知られている。そしてこの画像形成装置のサブディスプレイは予め画像形成装置に設置されている設置位置から取り外して移動させることができるので、画像形成装置の近傍に使用者がいない場合であっても、画像形成装置の情報をサブディスプレイによって把握することができる効果が得られている（特許文献４）。
【発明の概要】
【発明が解決しようとする課題】
【０００３】
ところで近年、バリアフリー化の波に伴い使い勝手を追求した画像形成装置の開発が望まれている。
本発明は、このようなバリアフリー化に対応可能であり、画像形成装置本体との無線通信手段を搭載した操作表示部を取り外し可能（脱離可能）にし、本来の操作表示部の位置よりも低い位置や操作しやすい角度で操作表示部を操作可能にする画像形成装置を提供すること、またこのような画像形成装置において、操作表示部を取り外した状態でも、画像形成装置本体の機器の状態を表示したり、ユーザへの警告や入力などのエラーなど、画像形成装置本体の異常の状態、画像形成に係る操作のミス、入力情報の不足などを表示可能にする事を目的としている。
【課題を解決するための手段】
【０００４】
上記の課題を解決するために、以下の解決手段を有する。
請求項１の発明は、画像形成装置本体に着脱自在に配設可能な画像形成装置用の操作表示装置であって、前記画像形成装置本体に装着されている場合には前記画像形成装置本体の操作表示部であり、前記画像形成装置本体からの脱離が検出されると、当該操作表示装置に設けた第１の無線通信手段及び前記画像形成装置本体に設けた第２の無線通信手段により前記画像形成装置本体への操作入力を無線通信するとともに、前記画像形成装置本体の画像形成に係る情報を前記画像形成装置本体から前記第１の無線通信手段により受信して表示する画像形成装置用の操作表示装置を特徴とする。
また、請求項２の発明は、請求項１に記載の操作表示装置を前記画像形成装置本体に搭載した画像形成装置であって、前記操作表示装置が前記画像形成装置本体に装着されている場合には、前記操作表示装置を、バス又は前記第１及び第２の無線通信手段を介して前記画像形成装置本体に対する画像形成に係る入力を行い、かつ前記画像形成装置本体の画像形成に係る情報の当該操作表示部装置に設けた第１の表示部への表示を行う操作表示手段とし、前記操作表示装置が前記画像形成装置本体から脱離されたことが検出されると、前記操作表示装置を、第１及び第２の無線通信手段を介して前記画像形成装置本体に対する画像形成に係る入力を行い、かつ前記画像形成装置本体の画像形成に係る情報の前記第１の表示部への表示を行う操作表示手段とし、前記画像形成装置本体に設けた第２の表示部を機能させ、前記画像形成装置の画像形成に係る情報の表示を前記第２の表示部に表示する画像形成装置を特徴とする。
また、請求項３の発明は、前記画像形成に係る情報には、前記画像形成装置の状態を示す状態情報と前記画像形成装置の機能メニューを示す機能情報とが含まれ、前記操作表示装置が前記画像形成装置本体に装着時には、前記第１の表示部に前記機能情報および前記状態情報を表示し、前記操作表示装置の脱離時には、前記第１の表示部に前記機能情報および前記状態情報を表示するとともに、前記第２の表示部に前記状態情報を表示する請求項２に記載の画像形成装置を特徴とする。
【０００５】
また、請求項４の発明は、前記操作表示装置は、当該操作表示装置に電源を供給する蓄電手段と、該蓄電手段の充電を行なう充電手段と、備え、前記画像形成装置本体への装着時には、前記画像形成装置本体の電源から電源供給するとともに、前記画像形成装置本体からの離脱時には、前記蓄電手段からの給電により動作する請求項２又は３に記載の画像形成装置を特徴とする。
また、請求項５の発明は、前記画像形成装置本体は、定期的に前記操作表示装置の状態取得のための通信を行う請求項２乃至４の何れか一項に記載の画像形成装置を特徴とする。
また、請求項６の発明は、前記状態取得のための通信が所定期間行われなかった場合、前記操作表示装置の電源をＯＦＦすることを特徴とする請求項５に記載の画像形成装置。
また、請求項７の発明は、前記操作表示装置が、前記画像形成装置本体から脱離した状態で、前記画像形成装置本体の電源がＯＦＦされた場合、前記第１の表示部に、前記画像形成装置本体の電源がＯＦＦされた旨を表示する請求項２乃至６の何れか一項に記載の画像形成装置を特徴とする。
また、請求項８の発明は、前記操作表示装置が、前記画像形成装置本体から脱離した状態で、前記画像形成装置本体の電源がＯＦＦされた場合でも、操作表示装置の電源はＯＦＦしない請求項２乃至６の何れか一項に記載の画像形成装置を特徴とする。
また、請求項９の発明は、前記操作表示装置が、前記画像形成装置本体から脱離した状態で、前記画像形成装置本体の電源がＯＮされた場合、前記第２の表示部に、前記操作表示装置を前記画像形成装置本体に装着するべき旨を表示する請求項２乃至６の何れか一項に記載の画像形成装置を特徴とする。
また、請求項１０の発明は、前記操作表示装置が、前記画像形成装置本体に装着された状態で、前記画像形成装置本体の電源がＯＮされた場合、前記第２の表示部に、前記操作表示装置を前記画像形成装置本体に装着するべき旨を表示しない請求項２乃至６の何れか一項に記載の画像形成装置を特徴とする。
また、請求項１１の発明は、前記操作表示装置が、前記画像形成装置本体から離脱した状態で、前記画像形成装置本体の電源がＯＮされた場合、前記操作表示装置を前記画像形成装置本体に装着するべき旨を前記第２の表示部に表示し、前記操作表示装置が、前記画像形成装置本体に装着された場合は、前記第２の表示部への表示を中止する請求項２乃至６の何れか一項に記載の画像形成装置を特徴とする。
【発明の効果】
【０００６】
本発明によれば、画像形成装置本体との無線通信手段を搭載した操作表示部をこの本体から取り外し可能（脱離可能）にし、バリアフリー化に対応して、画像形成装置の周辺のあらゆる位置や操作しやすい角度で操作表示部を操作可能にする操作表示部を操作表示装置としていわゆるリモコン化した画像形成装置を提供でき、また、操作表示部を取り外した状態でも、その取り外した操作表示部から画像形成装置本体の機器の状態を表示できるので、ユーザへの警告や入力などのエラーなど、画像形成装置本体の異常の状態、画像形成に係る操作のミス、入力情報の不足などを表示可能としたので、画像形成装置本体への画像形成装置およびその操作などに係る機能を有する操作表示装置を提供できる。
【図面の簡単な説明】
【０００７】
【図１】本発明の一実施形態である画像形成装置の内部構成を示す概略図である。
【図２】本発明の画像形成装置の装置本体と操作表示部における各部のブロック構成を示す図である。
【図３】操作表示部が画像形成装置に取付けられた状態を示す図である。
【図４】操作表示部が画像形成装置に「装着／脱離」機能を有することを示す図である。
【図５】画像形成装置が操作表示部の「装着／脱離」により、補助表示部の表示を「非表示／表示」にするフローを示す図である。
【図６】操作表示部が画像形成装置に「装着／脱離」により、操作表示部の電源を、「本体からの供給／操作表示部内の二次電池」への切替えを行うフローを示す図である。
【図７】補助表示部の画面と操作表示部上の表示部の画面との関係を示す図であり、（ａ）は表示部の画面下部分、（ｂ）は補助表示部の画面下部分に機能情報が表示されている例を示す図である。
【図８】補助表示部の画面と操作表示部上の表示部の画面との関係を示す図であり、（ａ）および（ｂ）の画面下部分に、トナー交換に関する状態表示が表示される例を示す図である。
【図９】補助表示部の画面の制御フローを示す図である。
【図１０】操作表示部上の表示部の画面の制御フローを示す図である。
【図１１】接続コンテキストのデータ構造の実施形態を示す図である。
【図１２】接続コンテキストを用いたＷｉｒｅｌｅｓｓＵＳＢリンク確立手順の実施形態を示したシーケンス図である。
【図１３】操作表示部に向けた装置本体側のデータ送受信フローを示す図である。
【図１４】装置本体の操作表示部に対する送受信動作に対応した操作表示部側の動作を説明するフローを示す図である。
【図１５】（ａ）および（ｂ）は操作表示部が装置本体から取り外されている場合の、画像形成装置の補助表示部と操作表示部の表示部の画面表示を示す図である。
【図１６】（ａ）および（ｂ）は操作表示部が装置本体から取り外されている場合の、画像形成装置の補助表示部と操作表示部の表示部の画面表示を示す図である。
【図１７】（ａ）および（ｂ）は操作表示部１３が装置本体１から取り外されている場合の、装置本体１の補助表示部１０９と操作表示部１３の表示部５７の画面表示を示す図である。
【図１８】図１７における予告メッセージを表示する制御を説明するフローを示す図である。
【図１９】（ａ）および（ｂ）は操作表示部１３が装置本体１から取り外されている場合の、装置本体１の補助表示部１０９と操作表示部１３の表示部５７の画面表示を示す図である。
【図２０】図１９におけるメッセージを表示する制御を説明するフローを示す図である。
【発明を実施するための形態】
【０００８】
以下、図面を参照して、本発明の画像形成装置を実施形態により詳細に説明する。
図１は、本発明の一実施形態である画像形成装置の内部構成を示す概略図である。
本発明の画像形成装置は、画像形成装置本体（以下、単に装置本体という）１と、それに着脱可能な操作表示装置（操作表示部）１３から構成される。
装置本体１には、着脱可能なプロセスカートリッジ２が搭載される。このプロセスカートリッジ２は、少なくとも感光体３、クリーニング手段及び排トナー回収部５を有して構成されるが、この他に帯電ローラ４、現像手段及びトナー収納部６等により構成されるものであってもよい。装置本体１には、光学系８が配設される。この光学系８は、図示しないが、ポリゴンモータ、ポリゴンミラー、Ｆθレンズ、レーザダイオード、ミラー等により構成される。また、装置本体１には、給紙装置が配設される。この給紙装置では、給紙カセット１１から給紙コロ９により記録紙１２が１枚ずつ順次ピックアップされ、感光体３へ搬送される。
以下に、本発明の画像形成装置の動作について説明する。感光体３は、たとえば時計回り方向に回転駆動され、その際に帯電ローラ４によって表面を帯電され、光学系８からのレーザ光が照射されて感光体３上に静電潜像が形成される。この静電潜像が、現像手段及びトナー収納部６を通る時にトナーによって可視像化（いわゆる現像化）される。このトナーによる可視像は転写ローラ７により、感光体３へ搬送された記録紙１２に転写され、その後、トナーによる可視像が載置された記録紙は定着ローラ１０に搬送され、記録紙１２上の可視像は定着され、定着像が形成された記録紙は装置本体１の外部へ排紙される。
【０００９】
図２は本実施形態の画像形成装置における装置本体１と、装置本体１に電気的に連結された操作表示部１３における各部のブロック構成図である。
装置本体１は、ＣＰＵ（Central Processing Unit）１０１が予めＲＯＭ（Read Only Memory）１０２内に格納した制御プログラムを読み出し、ＲＡＭ（Random Access Memory）１０３を画像データやセンサ信号などを一時記憶するワークエリアとして使用して、画像形成装置の電気的に構成される各部を統括制御することにより、データ処理装置としての各種処理を行うと共に、本発明に係る画像形成処理を実行する。
装置本体１はＣＰＵ１０１に、ＲＯＭ１０２、ＲＡＭ１０３およびネットワークＩ／Ｆ（Interface）１０６と共に、画像をプリントアウトするプロッタ１０８、プリントする画像データを保存するハードディスク１０５、プリントコマンド等を受け取るネットワークＩ／Ｆ１０６、装置本体１の設定データを保存する不揮発性メモリ１０７がシステムバスを介して接続されている。
また、装置本体１は、ＣＰＵ１０１が装置各部を制御する際に利用するタイマー１０４を備え、タイマー１０４は、装置各部を同期させるためのタイミングをカウントする際などに利用される。さらに操作表示部１３と無線通信を行なうＷｉｒｅｌｅｓｓＵＳＢの通信ポートのＵＳＢドライバ１１０と、操作表示部１３に対して電源供給を行なう電源出力部１１１、操作表示部１３が装置本体１から取り外されている場合に装置本体１の状態を表示する補助表示部１０９で構成される。
【００１０】
次に、操作表示部１３の機能ブロックを説明する。
操作表示部１３においてＣＰＵ５１は、ＲＯＭ５２内に格納した制御プログラムを読み出し、ＲＡＭ５３に表示部５７に表示するデータを生成したり、入力部５８から入力されたデータを一時記憶するワークエリアとして使用して操作表示部１３を統括制御する。操作表示部１３内の不揮発性メモリ５４は、操作表示部１３の設定データを保存する。
メモリカードＩ／Ｆ６３は、デジタルスチルカメラなどで撮影された写真データを装置本体１に読み込ませるための入力ポートである。
タイマー５５は、入力部５８からの信号のタイミングカウントや省エネモード移行の時間管理に使用される。
装置本体１との通信（無線通信手段）は、たとえば前記したＷｉｒｅｌｅｓｓＵＳＢの通信ポートであるＵＳＢドライバ５６の使用により行われるが、これはその一例である。
以上説明したＣＰＵ５１、ＲＯＭ５２、ＲＡＭ５３、不揮発性メモリ５４、タイマー５５、ＵＳＢドライバ５６、表示部５７、入力部５８、メモリカードＩ／Ｆ６３に加え、後述するＧＰＩＯ（General Purpose Input/Output）６４により、操作表示部１３の制御部５０を構成している。
なお、これら操作表示部１３で使用される電源は、装置本体１への装着時に装置本体１から電源を受け取る電源入力部５９、非装着時に電源を供給する二次電池６１、二次電池を充電する充電器６０、操作表示部１３の装置本体１への装着／非装着により、電源を二次電池６１か電源入力部５９かに切り替える電源切替部６２などで構成される。
操作表示部１３の装置本体１への装着／非装着を、電源入力部５９の入力状態をＧＰＩＯ６４が検出することにより検出してＣＰＵ５１に伝達し、ＣＰＵ５１は操作表示部１３が装置本体１に装着されている場合は、制御部５０への電源供給を電源入力部５９から行い、非装着の場合は二次電池６１から行うという制御を、電源切替部６２に対して、ＧＰＩＯ６４を介して行う。
操作表示部１３に、電源を供給する二次電池と無線通信手段を搭載することにより、操作表示部１３が装置本体１に取り付けられている状態でも、取り外されている状態でも、装置本体１との間で、無線通信手段を用いたデータ通信を行うことが出来る。
【００１１】
次に、図３および図４を用いて、操作表示部１３と装置本体１の補助表示部１０９の配置例について述べる。
図３は、操作表示部１３が装置本体１に取付けられた状態（装着状態）を示している図である。
図３に示すように、操作表示部１３には図２で説明した入力部５８、表示部５７、そしてメモリカードから写真データなどの画像データを装置本体１に読み込ませるためのメモリカードＩ／Ｆ６３が配置されている。
図４は、操作表示部１３が装置本体１に装着／脱離可能な機能を有することを示す図である。
例えば、図３に示した装着状態ではメモリカードＩ／Ｆ６３にメモリカードを挿入してメモリカードから写真データを画像形成装置に読み込ませる操作をしづらいユーザなどが、図４のように操作表示部１３を装置本体１から取り外す（脱離させる）して操作を行うことが出来る。
取り外した操作表示部１３の位置には補助表示部１０９が配置され、補助表示部１０９の表示は通常はＯＦＦ状態とされている。そして電源出力部１１１にある操作表示部１３向けの電源出力端子が取付けられていて、操作表示部１３が取り外され電源出力部１１１からの電源出力がなくなった事を検出すると、補助表示部１０９はＯＮ状態に移行され、操作表示部１３が無い状態で補助表示部１０９の表示内容を任意にユーザは視認でき、装置本体１の状態を知ることが可能となる。
【００１２】
次に図５および図６により、装置本体１および操作表示部１３の動作について説明する。
図５は装置本体１が操作表示部１３の「装着／脱離」により補助表示部１０９の表示を「非表示／表示」にするフローを示す図である。
ＣＰＵ１０１は電源出力部１１１から出力される電流を検出して操作表示部１３の装着または非装着（脱離）を判断する（ステップＳ１１）。操作表示部１３が装着されている場合（ステップＳ１１でＹｅｓ）は補助表示部を非表示にしておき（ステップＳ１２）、操作表示部１３が非装着の場合は（ステップＳ１１でＮｏ）補助表示部の表示を有効にする（ステップＳ１３）。なお、この例では電流の検出によりＣＰＵ１０１は操作表示部１３の装着／脱離を判断する例を示したが、本発明では、その他の電気的な変化（電圧変動など）を感知して操作表示部１３の装着を外したことを判断して補助表示部１０９の表示を有効にすることもでき、いずれであってもよい。
図６は、操作表示部１３が装置本体１に装着または非装着（脱離）により操作表示部１３の電源を、「本体からの供給／操作表示部１３内の二次電池６１」で切替えを行うフローを示す図である。
ＣＰＵ５１は電源入力部５９で検出される入力電圧を検出して装置本体１からの電源供給の有無を判断する（ステップＳ２１）。
装置本体（本体と言うことがある）からの電源供給がある場合（ステップＳ２１でＹｅｓ）、二次電池の出力をＯＦＦにし（ステップＳ２２）、本体からの電源供給がない場合（ステップＳ２１でＮｏ）、二次電池からの出力をＯＮにして、二次電池からの電源供給を有効にする（ステップＳ２３）。
【００１３】
図７および図８は補助表示部１０９の画面と操作表示部１３上の表示部５７の画面との関係を示す図であり、何れの画面も上側の領域は注意および警告メッセージを表示する一行メッセージ表示欄（５７−１、１０９−１）となっている。
これらの図において、補助表示部１０９の画面（第２の画面）と表示部５７の画面（第１の画面）との違いは一行メッセージ表示欄より下側の部分（５７−２、１０９−２）にある。
図７（ａ）は表示部５７の画面下側領域５７−２に機能情報（画像度の鮮明さ、光沢度などの画像形成に係る情報）の表示を行う例を示しており、この場合、図７（ｂ）に示す補助表示部１０９の画面下側領域１０９−２には機能情報は表示されない。
一方、警告表示（画像形成に係る各部の異常などの警告を必要とする表示）が出ている図８においては、図８（ａ）に示す表示部５７の画面下側領域５７−２、図８（ｂ）に示す補助表示部１０９の画面下側領域１０９−２に、トナー交換に関する状態表示などが表示される。
【００１４】
図９および図１０は補助表示部１０９の画面と操作表示部１３上の表示部５７の画面の制御フローを示す図である。
図９に示す表示部５７の画面の制御フローでは、ユーザに対して報知すべき優先順位の高い警告画面、注意画面から順に、画面表示の有無を確認する。そして何も無ければ機能表示であるユーザ画面を表示部５７の画面下部分に表示する。
詳しくは、表示すべき警告画面があれば（ステップＳ３１でＹｅｓ）、警告画面を操作表示部画面表示にセットして（ステップＳ３２）、操作表示部１３の表示部５７に警告画面を表示する（ステップＳ３６）。表示すべき警告画面が無く（ステップＳ３１でＮｏ）、注意画面があれば（ステップＳ３３でＹｅｓ）、注意画面を操作表示部画面表示にセットして（ステップＳ３４）、操作表示部１３の表示部５７に注意画面を表示する（ステップＳ３６）。警告画面も、注意画面も無い場合（ステップＳ３３でＮｏ）、ユーザ画面を操作表示部画面表示にセットして（ステップＳ３５）、操作表示部１３の表示部５７に表示する（ステップＳ３６）。
一方、図１０に示す補助表示部１０９の画面では、優先順位の高い警告画面、注意画面から順に画面表示の有無を確認し、何も無ければ空白画面を表示部５７の画面下部分に表示する。
詳しくは、表示すべき警告画面あれば（ステップＳ４１でＹｅｓ）、警告画面を補助画面にセットし（ステップＳ４２）、補助表示部１０９の画面に表示する（ステップＳ４６）。表示すべき警告画面がなく（ステップＳ４１でＮｏ）、注意画面があれば（ステップＳ４３）、注意画面にセットして（ステップＳ４４）、補助表示部１０９の画面に表示する（ステップＳ４６）。また、警告画面も注意画面もなければ（ステップＳ４３でＮｏ）、空白画面を補助画面表示にセットして（ステップＳ４５）、補助表示部１０９の画面に表示する（ステップＳ４６）。
【００１５】
なお、補助表示部１０９は、警告画面や注意画面を表示するのみならず、タッチパネルを用いた補助的な操作部としてもよく、その場合、画像形成装置を利用する場合に、操作表示装置１３からの入力以外に画像形成装置本体の操作入力もできるのでユーザにとって使い勝手な画像形成装置が提供できる。
その場合、以下の構成および動作により、装置本体１および操作表示部１３とでの入力優先順位を決めておくこともできる。
たとえば装置本体１において、操作表示部１３が取り外されたことを検知した場合、補助表示部１３からの入力と操作表示部からの入力とで、どちらを優先して画像形成を実行するかなどをユーザに報知することができる。あるいは操作表示部において、画像形成を実行するための情報の一部が欠落して画像形成が実行できない場合などにおいて、ユーザにその情報を操作表示部１３内に一時的に記憶しておくことを報知したり、その記憶情報の記憶位置のアドレスなどを報知することもできる。
また操作表示部１３内の二次電池の電圧が所定以下になると警告したり、操作表示部１３をどこに置いたかを忘れた場合など、本体の補助表示部を介して位置を音などで知らせる報知機能を有するなど、自在に変更可能である。
また操作表示部１３は、画像形成装置本体の操作部とバスを介して接続されている場合、装置本体がホストコンピュータとなり、操作表示部１３はゲストとなってもよく、また表示部５７と入力部が機能し、他のブロックは休止状態になるように設定することもできる。
【００１６】
次に、図１１および図１２を用いて、図２に示す装置本体１内のＷＵＳＢ（Wireless USB)ドライバ１１０と操作表示部１３内のＷＵＳＢドライバ５６間とで確立される無線通信であるＷｉｒｅｌｅｓｓＵＳＢのリンク確立までの手段について述べる。
図１１は装置本体１内のＷＵＳＢドライバ１１０や操作表示部１３内のＷＵＳＢドライバ５６で用いられる接続コンテキストのデータ構造の実施形態を示す図である。
図１１に示すコンテキストは装置本体１内の不揮発性メモリ１０７や操作表示部１３内の不揮発性メモリ５４に格納されている。これらは装置本体１と操作表示部１３が相互に自己に帰属する装置であることを識別・認識することを可能にしている。同時に、任意のホスト機器が操作表示部１３からの接続要求を先取り的に取得してハンドシェイクを確立してしまい、任意のホスト機器との間でデータ送信が発生することを防止している。
図１１に示した接続コンテキストは関連付けられた装置本体１に固有に付けられた識別値Ｈｏｓｔ  ＩＤ１２０と操作表示部１３に固有に付された識別値Ｄｅｖｉｃｅ  ＩＤ１２１と暗号通信のための秘密鍵Ｃｏｎｎｅｃｔｉｏｎ  Ｋｅｙ１２２とを含んでいる。
【００１７】
図１２はこれらの接続コンテキストを用いた装置本体１内のＷＵＳＢドライバ１１０と操作表示部１３内のＷＵＳＢドライバ５６間のＷｉｒｅｌｅｓｓＵＳＢリンク確立手順の実施形態を示したシーケンス図である。
操作表示部１３は不揮発性メモリ５４に保存されているＨｏｓｔ  ＩＤをＷＵＳＢドライバ５６から装置本体１内のＷＵＳＢドライバ１１０に宛ててＨｏｓｔ  ＩＤを識別値として接続要求を送信する。装置本体１内のＷＵＳＢドライバ１１０は操作表示部１３内のＷＵＳＢドライバ５６からの接続要求を受信すると不揮発性メモリ１０７内に格納されているＤｅｖｉｃｅ  ＩＤを検索しＤｅｖｉｃｅ  ＩＤが検索できた場合、そのＤｅｖｉｃｅ  ＩＤに向けて接続応答を返す（Ｐ２）。次に装置本体１と操作表示部１３間でセクション鍵を共有し、ハンドシェイクを確立する（Ｐ３）。
ハンドシェイクを確立した後、操作表示部１３は不揮発性メモリ５４に保存されている秘密鍵から生成したセクション鍵で暗号化したデータを装置本体１へ送信し、セキュアなＷｉｒｅｌｅｓｓＵＳＢデータ転送を実行する（Ｐ４）。以降、セクション鍵を使用した認証プロトコルを使用してセッションが継続され、ＷＵＳＢ接続によるデータ処理が実行される（Ｐ５）。
装置本体１と操作表示部１３との間で、定期的に状態取得の無線通信を行うことで、操作表示部１３における操作データや表示データを、装置本体１との間で同期する。
【００１８】
図１３から図２０を使って装置本体１および操作表示部１３の通信動作について説明する。
図１３は装置本体１内の、ＣＰＵ１０１が予めＲＯＭ１０２内に格納した制御プログラムを読み出してＲＡＭ１０３をワークエリアとして実行される、操作表示部１３に向けた装置本体１側のデータ送受信フローを示す図である。
ＣＰＵ１０１は操作表示部１３に対して送受信を試みる時間間隔を調べるためＲＯＭ１０２内に予め設定された時間間隔に基づきＣＰＵ１０１によりセットされるポーリングフラグがセットされているかを調べる（ステップＳ５１）。ポーリングフラグがセットされてなければ（ステップＳ５１でＮｏ）そのまま終了し、ポーリングフラグがセットされていれば（ステップＳ５１でＹｅｓ）、装置本体１内のＷＵＳＢドライバ１１０経由で操作表示部１３内のＷＵＳＢドライバ５６に対して操作表示部１３の状態を取得するためのステイタスコマンドを発行する（ステップＳ５２）。
操作表示部１３からイベントありの返答があった場合は（ステップＳ５３でＹｅｓ）イベント処理を行い（ステップＳ５４）、操作表示部１３からイベント無しという返答があった場合は（ステップＳ５３でＮｏ）、操作表示部１３の表示部５７の画面を更新すべきか判断し（ステップＳ５５）、表示部５７の画面を更新する場合（ステップＳ５５でＹｅｓ）は、画面を操作表示部１３に送信して表示部５７の画面を更新させる（ステップＳ５６）。その後ポーリングフラグをクリアして終了する（ステップＳ５７）。ステップＳ５５で、表示部５７の画面を更新しないと判断した場合は（ステップＳ５５でＮｏ）、そのままポーリングフラグをクリアする（ステップＳ５７）。
【００１９】
図１４は、図１３で説明した装置本体１の操作表示部１３に対する送受信動作に対応した操作表示部１３側の動作を説明するフロー図である。
これらの動作は操作表示部１３のＣＰＵ５１が予めＲＯＭ５２内に格納した制御プログラムを読み出し、ＲＡＭ５３をワークエリアとして実行している。
動作としては、装置本体１におけるポーリング処理により発生するコマンドを受信したかを判断し（ステップＳ６１）、コマンドを受取っていれば（ステップＳ６１でＹｅｓ）、コマンドに対応したステイタスを装置本体１に返す（ステップＳ６２）。さらに一定時間間隔に装置本体１からステイタスコマンドが発行されるかを調べるポーリングカウンタをクリアする（ステップＳ６３）。コマンドを受取っていなければ（ステップＳ６１でＮｏ）これらの処理は行わない。
さらにポーリングカウンタが装置本体１の電源ＯＦＦ状態を意味するポーリングカウンタフル状態であるかを調べ（ステップＳ６４）、ポーリングカウンタフルであれば（ステップＳ６４でＹｅｓ）、装置本体１は電源ＯＦＦであるので表示部５７に本体電源ＯＦＦ表示を行う（ステップＳ６５）。ポーリングカウンタがフル状態でなければ（ステップＳ６４でＮｏ）ポーリングカウンタを加算して（ステップＳ６６）終了する。
以上説明した構成および動作により装置本体１および操作表示部１３間の通信動作を可能にしている。
【００２０】
図１５及び１６は、操作表示部１３が装置本体１から取り外されている場合の、装置本体１の補助表示部１０９と操作表示部１３の表示部５７の画面表示を示す図である。
図１５は正常時の装置本体１の補助表示部１０９（図１５ｂ）と操作表示部１３の表示部５７（図１５ａ）を示しており、また、図１６は装置本体１の電源がＯＦＦされた時の状態を示していて、装置本体１の補助表示部１０９（図１６ｂ）は電源が切られているため何も表示をしていない。
一方操作表示部１３の表示部５７（図１６ａ）は図１４で示した動作フローにより表示部５７に装置本体１の電源ＯＦＦを表示している。
また、装置本体１（特に画像形成部）の電源がＯＦＦされた場合、操作表示部１３の表示データが装置本体１から送信されなくなってしまうが、そうした場合でも、操作表示部１３の表示部に、装置本体の電源がＯＦＦされた旨を表示して、ユーザに通知する。また、操作表示部１３は電源をＯＦＦすることなく、装置本体１の電源がＯＦＦされた旨の表示を維持する。
図１７は、操作表示部１３が装置本体１から取り外されている場合の、装置本体１の補助表示部１０９と操作表示部１３の表示部５７の画面表示を示す図であり、装置本体１の電源がＯＦＦされている場合の画面表示を示す図である。
図１７において、装置本体１は電源がＯＦＦされているため、図１７ｂに示す装置本体１の補助表示部１０９には何も示されておらず、図１７ａに示す操作表示部１３の表示部５７には、電源ＯＦＦの予告メッセージが表示されている。
図１８は、図１３で説明した装置本体１の操作表示部１３に対する送受信動作に対応した操作表示部１３側の第２の動作を説明するフロー図であり、図１７における予告メッセージを表示する制御を説明するフロー図である。
これらの動作は操作表示部１３のＣＰＵ５１が予めＲＯＭ５２内に格納した制御プログラムを読み出し、ＲＡＭ５３をワークエリアとして実行している。
動作としては、装置本体１におけるポーリング処理により発生するコマンドを受信したかを判断し（ステップＳ７１）、コマンドを受取っていれば（ステップＳ７１でＹｅｓ）、コマンドに対応したステイタスを装置本体１に返す（ステップＳ７２）。さらに一定時間間隔に装置本体１からステイタスコマンドが発行されるかを調べるポーリングカウンタをクリアする（ステップＳ７３）。コマンドを受取っていなければ（ステップＳ７１でＮｏ）これらの処理は行わない。
さらにポーリングカウンタが装置本体１の電源ＯＦＦ状態を意味するポーリングカウンタフル状態であるかを調べ（ステップＳ７４）、ポーリングカウンタフルであれば（ステップＳ７４でＹｅｓ）、装置本体１は電源ＯＦＦであるので、操作表示部１３の電源をＯＦＦする旨の予告表示を表示部５７に行う（ステップＳ７５）。
予告表示が終わると（ステップＳ７７でＹｅｓ）、操作表示部１３の電源をＯＦＦする（ステップＳ７８）。
ポーリングカウンタがフル状態でなければ（ステップＳ７４でＮｏ）ポーリングカウンタを加算して（ステップＳ７６）終了する。
このように、装置本体１から定期的に送信されるポーリングを監視して、それが操作表示部１３で一定期間受信出来ない場合（ポーリングカウンタフル）は、操作表示部１３の電源（操作表示部１３内の制御部５０の電源）をＯＦＦすることで、操作表示部１３内の２次電池６１（図２参照）の電力消費を低減することが出来る。
図１９は、操作表示部１３が装置本体１から取り外されている場合の、装置本体１の補助表示部１０９と操作表示部１３の表示部５７の画面表示を示す図である。
図１９において、図１９ｂに示す装置本体１の電源はＯＮであり、操作表示部１３を装置本体１に装着するように促すメッセージを表示している。
図２０は、図１９におけるメッセージを表示する制御を説明するフロー図である。
これらの動作は操作表示部１３のＣＰＵ５１が予めＲＯＭ５２内に格納した制御プログラムを読み出し、ＲＡＭ５３をワークエリアとして実行している。
装置本体１の電源がＯＮされた直後に、電源ＯＮフラグをセットする（ステップＳ８１）。ルーチン上では、その電源ＯＮフラグがセットされているかを調べて（ステップＳ８２）、セットされていれば（Ｓ８２でＹｅｓ）、操作表示部１３が装置本体１に装着されているかを判断し（ステップＳ８３）、装着されていなければ（ステップＳ８３でＮｏ）、操作表示部１３を装置本体１への装着を促す操作表示部装着メッセージを表示する（ステップＳ８６）。このようなメッセージを表示して操作表示部１３の本体１への装着を使用者に促すことで、操作表示部１３の確実な電源確保が可能となる。
操作表示部１３が装着されている場合（ステップＳ８３でＹｅｓ）、電源ＯＮフラグをクリアし（ステップＳ８４）、補助表示部１０９の表示をクリアする（ステップＳ８５）。このようにすることで、装置本体１の消費電力を低減させることが出来る。
ステップＳ８２で電源ＯＮフラグがセットされていなければ（ステップＳ８２でＮｏ）、通常のイベント表示フローに入り、イベントが発生していれば（ステップＳ８７でＹｅｓ）、イベント内容を補助表示部１０９に表示し（ステップＳ８８）、イベントが発生していなければ（ステップＳ８７でＮｏ）、補助表示部１０９の内容をクリアする（ステップＳ８９）。
【符号の説明】
【００２１】
１  画像形成装置本体、２  プロセスカートリッジ、３  感光体、４  帯電ローラ、５  排トナー回収部、６  トナー収納部、７  転写ローラ、８  光学系、９  給紙コロ、１０  定着ローラ、１１  給紙カセット、１２  記録紙、１３  操作表示部、５１  ＣＰＵ、５２  ＲＯＭ、５３  ＲＡＭ、５４  不揮発性メモリ、５５  タイマー、５６  ＵＳＢドライバ、５７  表示部、５８  入力部、５９  電源入力部、６０  充電器、６１  二次電池、６２  電源切替部、６３  メモリカードＩ／Ｆ、６４  ＧＰＩＯ、１０１  ＣＰＵ、１０２  ＲＯＭ、１０３  ＲＡＭ、１０４  タイマー、１０５  ハードディスク、１０７  不揮発性メモリ、１０８  プロッタ、１０９  補助画面、１０９  補助表示部、１１０  ＵＳＢドライバ、１１０  ＷＵＳＢドライバ、１１１  電源出力部、１２０  ＩＤ、１２１  ＩＤ、１２２  Ｋｅｙ
【先行技術文献】
【特許文献】
【００２２】
【特許文献１】特開平８−１４６６８８号公報
【特許文献２】特開２００１−２４５３７０公報
【特許文献３】特開２００５−１３５３１５公報
【特許文献４】特開２００７−３１２３１８公報
【図１】
2011207205.tif 000003
【図２】
2011207205.tif 000004
【図３】
2011207205.tif 000005
【図４】
2011207205.tif 000006
【図５】
2011207205.tif 000007
【図６】
2011207205.tif 000008
【図７】
2011207205.tif 000009
【図８】
2011207205.tif 000010
【図９】
2011207205.tif 000011
【図１０】
2011207205.tif 000012
【図１１】
2011207205.tif 000013
【図１２】
2011207205.tif 000014
【図１３】
2011207205.tif 000015
【図１４】
2011207205.tif 000016
【図１５】
2011207205.tif 000017
【図１６】
2011207205.tif 000018
【図１７】
2011207205.tif 000019
【図１８】
2011207205.tif 000020
【図１９】
2011207205.tif 000021
【図２０】
2011207205.tif 000022